(57)【要約】【課題】取付位置の制約がなく設置することができ、電気機器の配線接続が容易に可能であり、電気機器の載置を確実に実現し得るカウンターを提供すること。【解決手段】カウンター取付具３に形成された取付レールと同一形状の取付部を有し、取付部の上側部分に、前端にコネクター部を備えた配線部材を内蔵した配線ユニット４が、左右のカウンター取付具に介設され、カウンター板２が、カウンター取付具の取付レールとともに配線ユニットの取付部に後端縁部２ａが嵌入し、水平に支持され、配線ユニットに内蔵した配線部材のコネクター部がカウンター板の上側に配置されている。【選択図】図１
2009050510.tif 000002
【特許請求の範囲】
【請求項１】
内壁面に当接して固定される固定片と、固定片の上下においてカウンター板の厚みと同等の間隔を隔てて離間配置され、前方に突出する上部支持片および下部支持片とを備えたカウンター取付具の固定片と上部支持片および下部支持片とにより囲まれて形成された前方に開放する取付レールに、後端縁部が嵌入し、カウンター板が水平に支持されて内壁面に設置されるカウンターにおいて、カウンター取付具に形成された取付レールと同一形状の取付部を有し、取付部の上側部分に、前端にコネクター部を備えた配線部材を内蔵した配線ユニットが、左右のカウンター取付具に介設され、カウンター板が、カウンター取付具の取付レールとともに配線ユニットの取付部に後端縁部が嵌入し、水平に支持され、配線ユニットに内蔵した配線部材のコネクター部がカウンター板の上側に配置されていることを特徴とするカウンター。
【請求項２】
カウンター板の横幅に略等しい長さを有するカウンター取付具が、横幅方向の中間部分で配線ユニットの横幅分切除され、分割されたカウンター取付具が配線ユニットの左右にそれぞれ配設されていることを特徴とする請求項１に記載のカウンター。
【発明の詳細な説明】
【技術分野】
【０００１】
本発明は、電気機器の載置および載置された電気機器との配線接続を行うカウンターに関する。
【背景技術】
【０００２】
収納量の増大などを簡便に実現するために内壁面に棚板を取り付けることが従来行われている。
【０００３】
たとえば、基盤部から前方に突出する上下の棚板支持部を有する棚板取付具を基盤部において内壁面に固定し、上下の両棚板支持部の間に前方から基盤部側に向かって後縁部を挿入し、水平に支持して棚板を取り付けることが知られている（特許文献１）。
【特許文献１】実開平１−１１７２４１号公報
【発明の開示】
【発明が解決しようとする課題】
【０００４】
しかしながら、上記特許文献１に記載された棚板を含め、これまでに提案されている棚板では、その上に電気機器を載置することができるとしても、電気機器の電気配線や通信配線は、内壁面に取り付けられたコンセント、モジュラージャックなどのコネクター部と接続しなければならないため、既設のコネクター部の配置位置によっては棚板を取り付けることができなかったり、電気配線および通信配線の接続が難しく、また、配線の引き回しが難しくなったりするなどの不都合があり、電気機器を棚板上に載置することが実質的に不可能となることがしばしばあった。棚板の近くにコネクター部を新設することも考えられるが、配線工事や内装工事が大掛かりになることが否めない。
【０００５】
本発明は、以上の通りの事情に鑑みてなされたものであり、取付位置の制約がなく設置することができ、電気機器の配線接続が容易に可能であり、電気機器の載置を確実に実現し得るカウンターを提供することを課題としている。
【課題を解決するための手段】
【０００６】
本発明は、上記の課題を解決するために、以下の特徴を有する。
【０００７】
第１の発明は、内壁面に当接して固定される固定片と、固定片の上下においてカウンター板の厚みと同等の間隔を隔てて離間配置され、前方に突出する上部支持片および下部支持片とを備えたカウンター取付具の固定片と上部支持片および下部支持片とにより囲まれて形成された前方に開放する取付レールに、後端縁部が嵌入し、カウンター板が水平に支持されて内壁面に設置されるカウンターにおいて、カウンター取付具に形成された取付レールと同一形状の取付部を有し、取付部の上側部分に、前端にコネクター部を備えた配線部材を内蔵した配線ユニットが、左右のカウンター取付具に介設され、カウンター板が、カウンター取付具の取付レールとともに配線ユニットの取付部に後端縁部が嵌入し、水平に支持され、配線ユニットに内蔵した配線部材のコネクター部がカウンター板の上側に配置されていることを特徴としている。
【０００８】
第２の発明は、上記第１の発明において、カウンター板の横幅に略等しい長さを有するカウンター取付具が、横幅方向の中間部分で配線ユニットの横幅分切除され、分割されたカウンター取付具が配線ユニットの左右にそれぞれ配設されていることを特徴としている。
【発明の効果】
【０００９】
上記第１の発明によれば、カウンター取付具に形成された取付レールと同一形状の取付部を有し、取付部の上側部分に、前端にコネクター部を備えた配線部材を内蔵した配線ユニットが、左右のカウンター取付具に介設され、カウンター板が、カウンター取付具の取付レールとともに配線ユニットの取付部に後端縁部が嵌入し、水平に支持され、配線ユニットに内蔵した配線部材のコネクター部がカウンター板の上側に配置されているため、取付位置の制約がなくカウンターを設置することができ、電気機器の配線接続は容易に可能であり、電気機器の載置を確実に実現することができる。
【００１０】
上記第２の発明によれば、上記第１の発明の効果に加え、既存のカウンター取付具を使用することができ、既存のカウンター取付具と配線ユニットとの組み合わせによって、カウンター板の取付けを可能にするとともに、電気機器の配線接続を容易に可能にし、取付位置の制約がなくカウンターを設置してカウンター板の上に電気機器を載置することができる。また、配線ユニットおよびカウンター取付具の横幅の合計はカウンター板の横幅に略等しく、外観に全く違和感のないカウンターを提供することができる。
【発明を実施するための最良の形態】
【００１１】
図１は、本発明のカウンターの一実施形態を示した斜視図である。
【００１２】
図１に示したカウンター１では、平面視略矩形で横長のカウンター板２が、後端縁部２ａにおいて既存のカウンター取付具３および配線ユニット４によって水平に支持されて内壁面５に設置されている。
【００１３】
カウンター取付具３は、既存の横長のアルミニウム製の部材であり、図２に示したように、内壁面に当接可能な起立した固定片３１と、固定片３１の上端縁および下端部から前方に水平に延出して突出し、図１に示したカウンター板２の厚みと同等の間隔を隔てて離間配置された上部支持片３２および下部支持片３３とを備えている。下部支持片３３は、カウンター板２の重量を受け、カウンター板２を安定して水平に支持することができるように、突出幅が上部支持片３２の突出幅より長くなっている。また、下部支持片３３には、突出方向の略中央部から下方に補助片３４が延設され、補助片３４は下端部において上方に折曲され、当接部３５を形成している。当接部３５は、片状であり、固定片３１と同一平面上に配置されている。
【００１４】
このようなカウンター取付具３は、固定片３１を裏面において図１に示した内壁面５に当接させ、ビスなどの固定具を固定片３１の前方から内壁面５側に向かってねじ込み、打入などすることにより内壁面５に固定される。このとき、補助片３４は、下端部の当接部３５がその裏面において内壁面５に当接し、下部支持片３３を下方より支持する。
【００１５】
また、カウンター取付具３には、固定片３１と上部支持片３２および下部支持片３３とによって囲まれ、断面略コ字形形状を有する前方に開放する取付レール３６が形成されている。取付レール３６に図１に示したカウンター板２の後端縁部２ａが嵌入することにより、カウンター板２はカウンター取付具３に水平に支持され、取り付けられる。
【００１６】
このようなカウンター取付具３は、上記の通り、カウンター板２を後端縁部２ａにおいて水平に支持し、取り付けることができる限り、既存のものであってよい。一方、本発明のカウンターには、カウンター板２の上記の通りの取付けを可能とするものであれば、特に図２に示したものに限定されず、新規なものを採用することもできる。
【００１７】
図１に示したように、カウンター１では、カウンター取付具３が左右に配置され、その間に配線ユニット４が介設されている。
【００１８】
配線ユニット４は、図３に示すことができ、配線ユニット４は、図２に示したカウンター取付具３の取付レール３６と同一形状の取付部４１を有している。すなわち、取付部４１は、カウンター取付具３の取付レール３６と同じように、断面略コ字形形状を有し、前方に開放している。
【００１９】
このような取付部４１が形成されるように、配線ユニット４は、図１に示した内壁面５に当接可能な起立した固定部４２と、固定部４２の上端部から前方に延出して突出する略直方体形状の配線部材収納部４３と、固定部４２の下端部から前方に延出して突出する略四角すい台形状の支持部４４とを有している。配線部材収納部４３と支持部４４とは、図１に示したカウンター板２の厚みと同等の間隔を隔てて離間配置されている。支持部４４は、図１に示したカウンター板２の重量を受ける部分であり、カウンター板２を安定して水平に支持することができるように、突出幅が配線部材収納部４３の突出幅より長くなっている。これらの固定部４２、配線部材収納部４３および支持部４４から、図２に示したカウンター取付具３の取付レール３６と同一形状の、断面略コ字形形状を有する前方に開放する取付部４１が形成されている。
【００２０】
このような配線ユニット４は、固定部４２を裏面において図１に示した内壁面５に当接させ、取付部４１において固定部４２を通じて内壁面５に向けてビスなどの固定具をねじ込み、打入などすることにより内壁面５に固定される。カウンター板２は、このように固定された配線ユニット４の取付部４１に後端縁部２ａが嵌入し、水平に支持される。
【００２１】
また、配線ユニット４には、図４に示したように、取付部４１の上側部分に位置する配線部材収納部４３に配線部材４５が収納され、内蔵されている。配線部材４５は、前端にコネクター部としてのコンセント４６を有している。このような配線部材４５の収納を可能とするために、配線部材収納部４３は、前端から後端まで貫通する中空であり、配線部材４５に接続するＶＶＦ線などの電気配線４７が配線部材４５の後端から後方に配線され、配線部材収納部４３の後端から外部に引き出されている。外部に引き出された電気配線４７は、図１に示した内壁面５に沿って配線し、カバーを取り付けたり、内壁内部に電気配線４７を引き込み、配線したりすることができる。
【００２２】
図１に示したように、カウンター１の設置状態では、配線ユニット４の配線部材収納部４３は、カウンター板２の後端縁部２ａ付近の上面に配置され、コネクター部としてのコンセント４６がカウンター板２の上側に配置される。
【００２３】
したがって、カウンター１は、カウンター板２をカウンター取付具３とともに配線ユニット４によって水平に支持して取り付けることができ、内壁面５に設置することができるので、既設のコネクター部の配置位置に関係なく、取付位置の制約がなくカウンター１を内壁面５の所望の位置に設置することができ、電気機器には配線ユニット４に備えたコンセント４６に電気配線を接続することができ、電気配線が容易である。カウンター板２の上への電気機器の載置が確実に実現される。また、電気配線のための配線工事や内装工事などが大掛かりになることはない。
【００２４】
また、図１に示したカウンター１では、既存のカウンター取付具３を用いているので、配線ユニット４のみの新設で済み、カウンター板２への電気機器の載置を低コストで実現することができる。既存のカウンター取付具３を用いる場合、カウンター取付具３は、一般に、カウンター板２の横幅と同一の長さを有する横長長尺の部材であるが、配線ユニット４を組み込むため、カウンター１の設置に際して、カウンター取付具３を横幅方向の中間部分において配線ユニット４の横幅分切除し、分割して、分割したカウンター取付具３を配線ユニット４の左右にそれぞれ配設することにより、配線ユニット４の組み込みを容易に実現し、しかも配線ユニット４およびカウンター取付具３の横幅の合計がカウンター板２の横幅に略等しくなり、カウンター１として外観に違和感を全く与えずに済む。
【００２５】
配線ユニット４の取付位置は、カウンター板２の上に載置する電気機器の配置位置に対応して適宜決めることができる。なお、配線ユニット４およびカウンター取付具３を内壁面５に固定する際には、取付部４１および取付レール３６が一直線上に並置されるようにし、カウンター板２の後端縁部２ａの嵌入を容易かつ確実にし、カウンター板２が安定して水平に支持されるようにする。
【００２６】
図５は、配線ユニットの別の形態を示した斜視図である。図５に示した配線ユニット４において、図３に示した配線ユニット４と同一の部分には同一の符号を付し、説明を省略する。
【００２７】
図５に示した配線ユニット４では、取付部４１の上側部分に位置する配線部材収納部４３に収納された配線部材４５の前端のコネクター部が通信配線用のモジュラージャック４８とされている。
【００２８】
このように、本発明のカウンターでは、配線ユニット４に内蔵する配線部材４５には、カウンター板２の上に載置する電気機器の種類に対応したものを採用することができる。
【００２９】
図５に示した配線ユニット４も、図３に示した配線ユニット４と全く同様に、カウンター取付具３と組み合わされて内壁面５に固定され、カウンター板２を後端縁部２ａにおいて水平に支持し、カウンター１を内壁面５に設置することができ、配線部材４５の前端のモジュラージャック４８がカウンター板２の上側に配置される。カウンター板２の上に載置された電気機器の通信配線を接続することができる。ビデオレコーダー、モデム、ルーターなどの電気配線、通信配線の両方を接続する電気機器の場合には、図３および図５に示した配線ユニット４をともに取り付けることが好ましく、この場合、図３および図５に示した配線ユニット４を並置し、これらの配線ユニット４を挟んで左右にカウンター取付具３を配設することができる。
【００３０】
また、本発明のカウンターでは、配線ユニット４に内蔵する配線部材４５は複数であってよく、たとえば、図３に示したコンセント４６および図５に示したモジュラージャック４８をともに有する配線部材４５とすることもできる。このようにすることにより、配線ユニット４の内壁面５への取付けが簡便となり、カウンター１の設置が容易となる。
【図面の簡単な説明】
【００３１】
【図１】本発明のカウンターの一実施形態を示した斜視図である。
【図２】図１に示したカウンターのカウンター取付具を示した断面図である。
【図３】図１に示したカウンターの配線ユニットを示した斜視図である。
【図４】図３に示した配線ユニットの断面図である。
【図５】配線ユニットの別の形態を示した斜視図である。
【符号の説明】
【００３２】
１  カウンター
２  カウンター板
２ａ  後端縁部
３  カウンター取付具
３１  固定片
３２  上部支持片
３３  下部支持片
３６  取付レール
４  配線ユニット
４１  取付部
４５  配線部材
【図１】
2009050510.tif 000003
【図２】
2009050510.tif 000004
【図３】
2009050510.tif 000005
【図４】
2009050510.tif 000006
【図５】
2009050510.tif 000007